(57)【特許請求の範囲】
【請求項１】
本体内に設けられ、情報記録用ディスクを保持するためのディスク保持装置において、
弾性を有した支持辺により前記本体から突出し、且つ、当該本体に対して離接可能に設けられ、前記ディスクのセンターホール内に挿脱可能に係合する保持体とを備え、
前記支持辺は複数カ所設けられると共に、当該支持辺のうちの少なくとも一つの強度は、他の支持辺の強度より弱く構成されていることを特徴とするディスク保持装置。
【請求項２】
前記支持辺は三カ所設けられ、前記保持体を中心として三方向略等間隔で放射状に延在すると共に、当該支持辺のうちの何れか一つの支持辺の強度が他の二つの支持辺より弱く構成されていることを特徴とする請求項１のディスク保持装置。
【請求項３】
前記強度の弱い支持辺は、他の支持辺に対して幅狭、若しくは、厚さが薄く構成されていることを特徴とする請求項１又は請求項２のディスク保持装置。
【請求項４】
前記保持体は、外方に突出する弾性を有したディスク保持辺を有し、
該ディスク保持辺は、前記保持体が前記ディスクのセンターホール内に挿入された状態で前記本体と反対側のセンターホール縁部に係脱自在に係合すると共に、
前記保持体が前記本体方向に近接するよう押圧されたときに内方に縮径するよう変形し、前記保持体が前記センターホール内を通過することを許容することを特徴とする請求項１、請求項２又は請求項３のディスク保持装置。
【請求項５】
前記保持体の外側における前記本体より突出して設けられ、前記保持体が前記本体側に近接した際に前記ディスクを受けるディスク受け部を備えることを特徴とする請求項１、請求項２、請求項３又は請求項４のディスク保持装置。
【発明の詳細な説明】
【０００１】
【発明の属する技術分野】
本発明は、ＣＤ或いはＤＶＤ等の光磁気ディスクを容易に挿脱することができ、且つ、ディスクを確実に保持することができるディスク保持装置に関するものである。
【０００２】
【従来の技術】
従来、音楽、映像等の情報やソフトウェア等の情報を記録する記録媒体として、ＣＤやＣＤ−Ｒ等の光磁気ディスクが利用されている。このような情報が記録されたＣＤやＣＤ−Ｒ等の光磁気ディスクを市場で流通させる場合、光磁気ディスクに破損が生じると記録された情報を取り出せなくなってしまう。そこで、記録された情報を保護するため光磁気ディスクをプラスチックなどの合成樹脂の収納ケース内に収納して流通市場に提供していた。
【０００３】
また、近年では、音楽、映像等の情報やソフトウェア等のデータ情報量が大きくなってきており、これらの情報提供にＣＤやＣＤ−Ｒ等の光磁気ディスクを複数枚使用するものも少なくない。そこで、これら大容量の記録媒体を一枚のディスクで提供可能な、高密度記録媒体の光磁気ディスクとしてＤＶＤ(digital versatile disc) が提供されてきている。このＤＶＤは両面読み書き可能（読み取りだけのものある）に構成されているが、形状及び厚さなどが前記ＣＤやＣＤ−Ｒ等の光磁気ディスクと略同等に構成されており、ＤＶＤを収納するケースもＣＤやＣＤ−Ｒ等の光磁気ディスクを収納するケースと略同等な形状を呈している。
【０００４】
係る、ＣＤやＣＤ−Ｒ等を収納ケース内に保持する場合、収納ケース内に別な本体を設け、この本体の略中央にＣＤやＣＤ−Ｒ等のセンターホールを保持可能な弾性を有した保持体（ロック爪）を設けている。そして、保持体にＣＤやＣＤ−Ｒ等の中心に設けたセンターホールを押圧すると、保持体がセンターホール内側に一旦撓んで縮径してから復帰する。これによってＣＤやＣＤ−Ｒ等を保持体に保持していた。そして、本体内の保持体に保持されたＣＤやＣＤ−Ｒ等を取り出す場合、ＣＤやＣＤ−Ｒ等の外周を強制的に持ち上げて、保持体からむしり取るようにして取り出していた。
【０００５】
また、ＤＶＤには高密度情報が記録されており、ＤＶＤ面に傷や手脂などが付着するとデータ（高密度情報）が読み出し難くなる不具合が発生してしまう。そこで、ＤＶＤに記録されたデータの読み出しに不具合が発生してしまうのを防止するため、本体内に設けた保持体の構造を変えてＣＤやＣＤ−Ｒ等に対してＤＶＤの着脱方法を変えていた。この場合、ＤＶＤの着脱は、高密度情報データを保護するためＤＶＤの面に手を触れることなく保持体に簡単に着脱できるように構成されている。
【０００６】
即ち、ＤＶＤを保持する保持体は、例えば本体中央に突出して設けられ、中央部が縦に２分割されると共に、保持体下側は両側方に延在して弾性を有する支持辺にて支持されている。２分割された保持体には、ＤＶＤに設けられたセンターホールより幅広（大径）の突起がそれぞれ設けられている。この突起は、保持体が本体側に押されてセンターホールに当接すると、支持辺及び保持体などの撓みによって相互に近接してセンターホールより縮径してＤＶＤのセンターホールを通過できるように構成されていた。
【０００７】
そして、２分割された保持体が本体側に押圧されると、支持辺の撓みによって保持体は本体側に移動し、これによって両突起はＤＶＤに設けられたセンターホールにて相互に近接する。係る押圧によって両突起はＤＶＤのセンターホールよって縮径し、支持辺の弾性復帰によってＤＶＤのセンターホール内を通過して上に出る。これによって、両突起はＤＶＤのセンターホール上側で相互に離間し、ＤＶＤは保持体（本体）に保持されることとなる。
【０００８】
また、ＤＶＤをケースより取り出す場合、保持体を手で本体側に押圧して近接させる。そして、保持体が本体側に近接すると両突起は縮径し、更に押圧されると支持辺及び保持体は撓んで、両突起はＤＶＤのセンターホールより縮径する。これによって、両突起はＤＶＤのセンターホールを通過する。両突起がＤＶＤのセンターホールを通過すると、支持辺及び保持体は弾性復帰して両突起はＤＶＤのセンターホールより拡径するので、その後、保持体を押圧している手を離せば、両保持体の弾性復帰により本体より離間してＤＶＤが取り出せる構造であった。
【０００９】
【発明が解決しようとする課題】
しかしながら、本体に設けた保持体に保持されたＤＶＤを取り出す場合、本体に設けられ２分割された保持体のどちらか一方が本体側に押圧されただけでは、他方の保持体はＤＶＤのセンターホールより縮径しなかった。このため、どうしても２分割された保持体を同時に本体側に近接させなければ、本体よりＤＶＤを取り出せないという問題があった。
【００１０】
また、中央を縦に２分割し弾性で撓む保持体でＤＶＤを保持していたが、支持辺及び保持体が撓みやすい場合は、ＤＶＤを確実に保持体に保持できず、ケース内で保持体からＤＶＤが外れて動きデータ面に傷ついてしまう。そこで、支持辺及び保持体は強度が強く撓み難い構造にしていたので、センターホールは保持体に硬く保持されてしまう。この場合、ＤＶＤはＤＶＤ外周をディスク受にて受けていただけなので、ＤＶＤの変形及び破損してしまう等の重大な問題もあった。
【００１１】
本発明は、係る従来技術の課題を解決するために成されたものであり、ＤＶＤやＣＤ、ＣＤ−Ｒなどの情報記録用ディスクを確実に保持でき、且つ、取り出す際の破損の発生を効果的に回避できるディスク保持装置を提供することを目的とする。
【００１２】
【課題を解決するための手段】
即ち、請求項１の発明のディスク保持装置は、本体内に設けられ、情報記録用ディスクを保持するためのものであって、弾性を有した支持辺により前記本体から突出し、且つ、当該本体に対して離接可能に設けられ、前記ディスクのセンターホール内に挿脱可能に係合する保持体とを備え、前記支持辺は複数カ所設けられると共に、当該支持辺のうちの少なくとも一つの強度は、他の支持辺の強度より弱く構成されているものである。
【００１３】
また、請求項２の発明のディスク保持装置は、上記に加えて、前記支持辺は三カ所設けられ、前記保持体を中心として三方向略等間隔で放射状に延在すると共に、当該支持辺のうちの何れか一つの支持辺の強度が他の二つの支持辺より弱く構成されているものである。
【００１４】
また、請求項３の発明のディスク保持装置は、請求項１又は請求項２に加えて、前記強度の弱い支持辺は、他の支持辺に対して幅狭、若しくは、厚さが薄く構成されているものである。
【００１５】
また、請求項４の発明のディスク保持装置は、請求項１、請求項２又は請求項３に加えて、前記保持体は、外方に突出する弾性を有したディスク保持辺を有し、該ディスク保持辺は、前記保持体が前記ディスクのセンターホール内に挿入された状態で前記本体と反対側のセンターホール縁部に係脱自在に係合すると共に、前記保持体が前記本体方向に近接するよう押圧されたときに内方に縮径するよう変形し、前記保持体が前記センターホール内を通過することを許容するものである。
【００１６】
更に、請求項５の発明のディスク保持装置は、請求項１、請求項２、請求項３又は請求項４に加えて、前記保持体の外側における前記本体より突出して設けられ、前記保持体が前記本体側に近接した際に前記ディスクを受けるディスク受け部を備えるものである。
【００１７】
【発明の実施の形態】
次に、図面に基づき本発明の実施形態を詳述する。図１は本発明のディスク保持装置１０にディスク１８が保持されたの収納ケース１１の平面図、図２は本発明のディスク保持装置１０の拡大平面図をそれぞれ示している。
【００１８】
図中１１はＤＶＤなどの情報記録用ディスク１８が収納される収納ケースで、ＡＢＳ樹脂、プラスチックなどの合成樹脂にて構成され、縦約１９０ｍｍ、横約１４２ｍｍ、厚さ約１４ｍｍの筺体にて構成されている。該収納ケース１１は、本体１３と、この本体１３一側に開閉自在に枢支された蓋１２にて構成され、内部にディスク１８が収納された状態で当該ディスク１８を保持可能に構成されている。尚、ＤＶＤなどの情報記録用ディスク１８は、既に市販されているものであり詳細な構造説明は省略する。
【００１９】
収納ケース１１内に設けた本体１３の略中央には保持体１４が蓋１２側に突出して設けられており、この保持体１４は弾性を有した所定幅の支持辺１５を介して本体１３と一体に成形されている。保持体１４は、高さ約３．５ｍｍ、外形は直径約１５ｍｍに形成されており、この保持体１４の本体１３側には支持辺１５が放射状に延在しており、本体１３と、支持辺１５と、保持体１４とは一体に成形されている。該保持体１４は、本体１３の蓋１２側に位置して設けられると共に、保持体１４は本体１３より少許離間して成形されている。また、保持体１４の中央には保持体１４を本体１３側に押圧する略円形の押圧部１４Ａが設けられており、この押圧部１４Ａは保持体１４より小径位置に形成されると共に本体１３の離間側に少許突出している。
【００２０】
また、保持体１４は、支持辺１５の弾性によって本体１３側に離接可能に構成されている。即ち、保持体１４は支持辺１５によって本体１３より少許蓋１２側に離間した状態で設けられ、保持体１４が本体１３側に押圧された場合、支持辺１５の弾性によって本体１３側に近接し、押圧が解除された場合、本体１３より所定距離離間するように構成されている。
【００２１】
該支持辺１５は保持体１４の周囲に三カ所（この場合、支持辺１５Ａ、１５Ｂ、１５Ｃ）設けられている。そして、これら三カ所の支持辺１５Ａ、１５Ｂ、１５Ｃは、保持体１４を中心として三方向に略等間隔で放射状に所定距離延在している。該三カ所の支持辺１５Ａ、１５Ｂ、１５Ｃのうちの何れか一つの支持辺（この場合、支持辺１５Ａ）１５の強度を他の二つの支持辺１５Ｂ、１５Ｃの強度より弱く構成している。即ち、三カ所の支持辺１５Ａ、１５Ｂ、１５Ｃの内の強度の弱い支持辺１５Ａは、他の二つの支持辺１５Ｂ、１５Ｃに対して幅狭に構成して撓み強度を弱くしている。尚、各支持辺１５Ａ、１５Ｂ、１５Ｃを略同一の形状にて構成し、支持辺１５Ａの厚さのみを薄くしたり長さを変えて他の二つの支持辺１５Ｂ、１５Ｃに対して撓み強度を弱くしても差し支えない。
【００２２】
また、保持体１４の周囲側面には外方に突出して幅約４ｍｍに形成され弾性を有したディスク保持辺２１が形成されており、このディスク保持辺２１は各支持辺１５Ａ、１５Ｂ、１５Ｃの略中間に位置して設けられている。各ディスク保持辺２１・・・は、保持体１４の押圧部１４Ａ周囲から所定距離延在した後本体１３側に折れ曲がり所定距離延在している。これらのディスク保持辺２１・・・は、保持体１４に一体に成形され、本体１３方向に延在するに従って保持体１４より僅か拡開している。また、ディスク保持辺２１にはそれぞれ係合部２１Ａが設けられており、この係合部２１Ａはディスク保持辺２１の外面（この場合、押圧部１４Ａの離間側）から所定距離突出して、本体１３側を縮径する方向に傾斜している。
【００２３】
即ち、係合部２１Ａはディスク保持辺２１の外面に位置してディスク保持辺２１と一体に成形されている。また、各ディスク保持辺２１の保持体１４側周囲（ディスク保持辺２１を含む）はディスク１８のセンターホール１８Ａより少許小径に形成されると共に、各ディスク保持辺２１には押圧部１４Ａの離間側に突出してディスク１８のセンターホール１８Ａより少許大径の、係合部２１Ａが設けられている。また、ディスク保持辺２１の本体１３側となる下端はディスク１８のセンターホール１８Ａより少許大径に拡径している。
【００２４】
ディスク保持辺２１は、保持体１４が前記ディスク１８のセンターホール１８Ａ内に挿入された状態で、本体１３と反対側のセンターホール１８Ａ縁部に係脱自在に係合するように構成されている。そして、保持体１４が本体１３方向に近接する方向に押圧されたときに、ディスク保持辺２１は、係合部２１Ａがセンターホール１８Ａに当接することによって内方に変形して縮径し、係合部２１Ａ（保持体１４）がセンターホール１８Ａ内を通過するように構成されている。
【００２５】
また、保持体１４の外周近傍には所定の間隔を存してディスク受け部１６が設けられており、このディスク受け部１６は、本体１３より蓋１２側に所定距離突出して設けられると共に、ディスク受け部１６は保持体１４を中心にして円弧状に設けられている。そして、ディスク受け部１６は各支持辺１５Ａ、１５Ｂ、１５Ｃ間に位置して設けられると共に、それぞれの支持辺１５Ａ、１５Ｂ、１５Ｃと所定の間隔を存して設けられている。係るディスク受け部１６は、ディスク１８のセンターホール１８Ａが保持体１４に保持された状態で、ディスク１８に略当接する高さにて構成されている。
【００２６】
即ち、ディスク受け部１６はディスク１８のセンターホール１８Ａ近傍を受けるもので、ディスク１８のセンターホール１８Ａ近傍がディスク受け部１６に当接した状態で、係合部２１Ａは本体１３と反対側のセンターホール１８Ａ縁部に係合するように構成されている。そして、ディスク１８がディスク受け部１６に当接して、係合部２１Ａがディスク受け部１６と離間側のセンターホール１８Ａ縁部に係合されることにより、ディスク１８はディスク保持装置１０に保持される。尚、２０は、ディスク受け部１６と略同等の高さに構成されたディスク受２０で、このディスク受２０にディスク１８の外周部が支持されることにより、ディスク１８は傾くことなく安定して保持体１４に保持されるように構成されている。
【００２７】
そして、ディスク１８のセンターホール１８Ａを保持体１４に合わせた後、ディスク１８を本体１３側に押圧する（図３）。これにより、保持体１４は支持辺１５の弾性によって撓み本体１３側に移動し近接するが、このとき、一つの支持辺１５Ａの強度を他の支持辺１５Ｂ、１５Ｃの強度より弱く構成しているので、強度の弱い支持辺１５Ａが先に撓み、保持体１４の押圧は支持辺１５Ｂ、１５Ｃと支持辺１５Ａとに分散される。これによって、保持体１４はディスク１８のセンターホール１８Ａ内に軽い押圧で容易に挿入することができる。
【００２８】
そして、保持体１４に設けられた各係合部２１Ａが弾性によって撓みディスク１８のセンターホール１８Ａ内を通過して本体１３の離間側に至ると、ディスク１８はディスク受け部１６に当接し、それ以上本体１３側に移動し近接てしまうのが阻止されそこで停止する。ディスク１８がディスク受け部１６に当接して、各係合部２１Ａがセンターホール１８Ａ内を通過して本体１３の離間側に移動すると、支持辺１５は弾性によって元の位置（センターホール１８Ａ内径より大きい位置）まで復帰する（図４）。
【００２９】
これによって、保持体１４に設けた各係合部２１Ａ・・・はセンターホール１８Ａの本体１３と離間側に位置し、ディスク１８は各係合部２１Ａ・・・とディスク受け部１６との間に確実に保持されることとなる。即ち、ディスク１８のセンターホール１８Ａを保持体１４に合わせて本体１３側に押圧するだけで、強度の弱い支持辺１５Ａが撓む。これによって、保持体１４の押圧は分散するので、ディスク１８は軽い押圧力でディスク保持装置１０に保持させることが可能となる。
【００３０】
一方、ディスク保持装置１０に保持されたディスク１８（図４）を取り出す場合、ディスク１８のセンターホール１８Ａから突出している保持体１４の略中央に設けられた押圧部１４Ａを指で本体１３側に押圧する。そして、保持体１４が本体１３側に近接すると、本体１３の反対側となるディスク１８のセンターホール１８Ａ縁部に各係合部２１Ａ・・・が係合されているのでディスク保持辺２１はセンターホール１８Ａによって撓んで内方に縮径し、係合部２１Ａ（保持体１４）がセンターホール１８Ａ内に位置する（図５）。そして、係合部２１Ａ（保持体１４）がセンターホール１８Ａ内を通過した時点で強度の弱い支持辺１５Ａによって保持体１４の押圧は分散するので軽い押圧力で押圧部１４Ａは本体１３に近接する。この場合、ディスク１８はディスク受け部１６によって本体１３側に撓むことがないので、保持体１４だけが本体１３側に近接する。
【００３１】
これによって、保持体１４はディスク１８のセンターホール１８Ａ内を通過して、各係合部２１Ａ・・・はセンターホール１８Ａの本体１３側に位置してセンターホール１８Ａより大きく拡径する（図６）。そして、保持体１４から指が離されると、ディスク１８はセンターホール１８Ａより大きく拡径している各係合部２１Ａに支持され、支持辺１５の弾性復帰でそのまま上（本体１３の離間側）に押し上げられる（保持体１４より取り出せる図３状態となる）。即ち、保持体１４が本体１３側に軽く押されて離されるだけで、ディスク１８はディスク受け部１６より離間し取り出すことができる。
【００３２】
ここで、ディスク保持辺２１の動作を図７乃至図１０を用いて詳しく述べる。図７は収納ケース１１内の本体１３の略中央に設けられた保持体１４にディスク１８のセンターホール１８Ａが保持された状態を示している。この状態で押圧部１４Ａが指で本体１３側に押圧されると、ディスク１８のセンターホール１８Ａ近傍はディスク受け部１６によってそれ以上本体１３側に移動しないので、保持体１４だけが本体１３側に移動する。保持体１４が本体１３側に移動し近接すると各係合部２１Ａが本体１３と反対側のセンターホール１８Ａ縁部に係合しているので、ディスク保持辺２１は本体１３の反対側に変形しやがてディスク１８のセンターホール１８Ａより内方に縮径する（図８）。
【００３３】
そして、更に保持体１４が本体１３側に移動し近接すると、保持体１４はセンターホール１８Ａ内を通過してディスク１８のセンターホール１８Ａの本体１３側に位置する。これによって、ディスク保持辺２１はセンターホール１８Ａより脱出して弾性復帰しセンターホール１８Ａ内径より拡径する（図９）。そして、保持体１４から指が離されると、ディスク１８は各係合部２１Ａに支持され、支持辺１５の弾性復帰でそのまま本体１３より離間することとなる（図１０）。これによって、ディスク１８は保持体１４上に位置するので格別な力を加えることなく収納ケース１１から容易に取り出すことが可能となる。
【００３４】
このように、支持辺１５は、保持体１４を中心として三方向略等間隔で放射状に延在させると共に、これらの支持辺１５（支持辺１５Ａ、１５Ｂ、１５Ｃ）のうちの何れか一つの支持辺１５Ａを他の二つの支持辺１５Ｂ、１５Ｃに対して幅狭、若しくは、厚さを薄くして強度を弱くしているので、保持体１４が本体１３に近接する方向に押圧されたとき、保持体１４の押圧を一つの支持辺１５Ａと二つの支持辺１５Ｂ、１５Ｃによって分散することが可能となる。
【００３５】
これにより、保持体１４の押圧を極めて軽減させることができるので、保持体１４を軽く押圧するだけで、保持体１４をディスク１８のセンターホール１８Ａ内から本体１３側に近接させることができるようになる。従って、保持体１４の押圧力によってディスク１８が変形してしまうのを防止することができるようになると共に、保持体１４を押圧してセンターホール１８Ａ内から脱出させる際、保持体１４の押圧でディスク１８が破損してしまうなどの極めて重大な問題を未然に防止することができるようになる。
【００３６】
特に、一つの支持辺１５Ａを他の二つの支持辺１５Ｂ、１５Ｃに対して強度を弱くしているので、保持体１４の押圧を確実に分散させることが可能となる。これにより、小さな押圧でディスク１８のセンターホール１８Ａ内から保持体１４を脱出させることが可能となる。従って、保持体１４を本体１３側に押圧した際、保持体１４の押圧力によってディスク１８が破損してしまう不具合を確実に防止することができるようになる。
【００３７】
また、保持体１４が本体１３側に近接した際にディスク１８を受けるディスク受け部１６を備えているので、保持体１４を本体１３側に押圧した場合でも、例えば、従来のようにディスク１８の外周をディスク受で受けることによってディスク１８が反ってしまうのを未然に阻止することが可能となる。これにより、反りによるディスク１８の情報の読み出し不具合、或いは、破損等を確実に防止することができるようになる。
【００３８】
次ぎに、他のディスク保持装置１０を図１１に示している。この場合、支持辺１５は保持体１４を中心として三方向略等間隔で放射状に延在させると共に、これらの支持辺１５（支持辺１５Ａ、１５Ｂ、１５Ｃ）のうちの何れか一つの支持辺１５Ａを他の二つの支持辺１５Ｂ、１５Ｃに対して長く延在させている。これにより、支持辺１５Ａの強度を他の二つの支持辺１５Ｂ、１５Ｃより弱く構成できるので、保持体１４を上側から押すだけで弱い支持辺１５を他の二つの支持辺１５より先に撓ませ、保持体１４の押圧を分散させることが可能となる。従って、ディスク１８のセンターホール１８Ａ内から小さな押圧で保持体１４を脱出させることが可能となり、保持体１４を本体１３側に押圧した際、保持体１４の押圧力によってディスク１８が破損してしまうなどの不具合を未然に防止することができるようになる。
【００３９】
尚、実施例では三カ所の支持辺１５Ａ、１５Ｂ、１５Ｃの内の一つの支持辺１５Ａの強度を弱く構成したがこれに限らず、他の支持辺１５Ｂ、或いは１５Ｂの強度を弱くして保持体１４を押圧した際、保持体１４の押圧を分散するようにしても差し支えない。
【００４０】
また、保持体１４に支持辺１５Ａ、１５Ｂ、１５Ｃを三カ所設けたがこれに限らず、支持辺１５を二カ所或いは三カ所以上設け、保持体１４を中心にして一側に位置する支持辺の強度を弱くして、保持体１４を本体１３側に押圧した際、保持体１４の押圧を分散するようにしても差し支えない。
【００４１】
また、支持辺１５を保持体１４を中心に直交して４カ所或いは４カ所以上放射状に配置し、保持体１４を中心にして一側の何れか一カ所或いは複数の支持辺を削除して、保持体１４を本体１３側に押圧した際、保持体１４の押圧が削除した支持辺によって押圧を分散するようにしても差し支えない。
【００４２】
また、ディスク保持装置１０はＤＶＤを保持するように構成したが、これに限らず、ディスク保持装置１０にてＣＤやＣＤ−Ｒ或いは他の高密度記録媒体のディスクを保持しても良いのは言うまでもない。
【００４３】
【発明の効果】
以上詳述した如く本発明によれば、ディスク保持装置は、本体内に設けられ、情報記録用ディスクを保持するためのものであって、弾性を有した支持辺により前記本体から突出し、且つ、当該本体に対して離接可能に設けられ、前記ディスクのセンターホール内に挿脱可能に係合する保持体とを備え、前記支持辺は複数カ所設けられると共に、当該支持辺のうちの少なくとも一つの強度は、他の支持辺の強度より弱く構成されており、例えば、請求項２の如く、前記支持辺は三カ所設けられ、前記保持体を中心として三方向略等間隔で放射状に延在すると共に、当該支持辺のうちの何れか一つの支持辺の強度が他の二つの支持辺より弱く構成されているので、ディスクのセンターホール内に挿入された保持体を本体側に押して、センターホール内から脱出させる際、保持体の押圧力を分散させることが可能となる。これにより、保持体を軽い力で押圧することができるようになる。従って、従来のようにディスクのセンターホール内に硬く保持された保持体を本体側に押圧して、保持体をセンターホール内から脱出させる際、ディスクが保持体の押圧力によって破損してしまうなどの重大な問題を未然に防止することができるようになるものである。
【００４４】
また、請求項３の発明によれば、請求項１又は請求項２に加えて、前記強度の弱い支持辺は、他の支持辺に対して幅狭、若しくは、厚さが薄く構成されているので、保持体を本体側に押圧するだけで弱い支持辺を他の二つの支持辺より先に撓ませることが可能となる。これにより、三方向に延在した支持辺が中心で突っ張ってしまうのを確実に阻止することができるので、ディスクのセンターホール内に保持体を硬く保持させても小さい押圧でディスクのセンターホール内から保持体を脱出させることができるようになる。従って、例えば、保持体が設けられたディスク収納ケースに振動や衝撃が加わった場合などでも、保持体に保持されたディスクが保持体から脱落してディスク面が損傷してしまうなどの危険性を防止することができるようになり、ディスク保持装置の利便性を大幅に向上させることができるようになるものである。
【００４５】
また、請求項４の発明によれば、請求項１、請求項２又は請求項３に加えて、前記保持体は、外方に突出する弾性を有したディスク保持辺を有し、該ディスク保持辺は、前記保持体が前記ディスクのセンターホール内に挿入された状態で前記本体と反対側のセンターホール縁部に係脱自在に係合すると共に、前記保持体が前記本体方向に近接するよう押圧されたときに内方に縮径するよう変形し、前記保持体が前記センターホール内を通過することを許容するようにしているので、保持体を本体側に押圧するだけでディスク保持辺を本体と反対側のセンターホール縁部から本体側に移動させることが可能となる。これにより、保持体容易にディスクのセンターホール内から脱出させることができるようになる。従って、保持体の押圧力分散とディスク保持辺の内方への縮径とによって極めて軽い押圧力でディスクのセンターホール内から保持体を脱出させることができるようになるものである。
【００４６】
更に、請求項５の発明によれば、請求項１、請求項２、請求項３又は請求項４に加えて、前記保持体の外側における前記本体より突出して設けられ、前記保持体が前記本体側に近接した際に前記ディスクを受けるディスク受け部を備えるので、保持体を本体側に押圧した場合でも、例えば、従来のようにディスクの外周をディスク受で受けることによってディスクが反ってしまうのを未然に阻止することが可能となる。従って、反りによるディスクの情報の読み出し不具合、或いは、破損等を確実に防止することができるようになるものである。
【図面の簡単な説明】
【図１】本発明のディスク保持装置にディスクが保持された状態を示す収納ケースの平面図である。
【図２】本発明のディスク保持装置の拡大平面図である。
【図３】保持体にディスクを挿着する以前の状態を示すディスク保持装置の側面図である。
【図４】保持体にディスクが挿着された状態を示すディスク保持装置の側面図である。
【図５】保持体が本体側に押圧されて三カ所の支持辺のうちの強度の弱い一つの支持辺が撓んだ状態を示すディスク保持装置の側面図である。
【図６】保持体がディスクのセンターホールから本体側に押圧された状態を示すディスク保持装置の平面図である。
【図７】保持体にディスクが保持された状態を示す図２のＡ−Ａ線断面図である。
【図８】係合部が縮径して保持体がディスクのセンターホール内に挿入された状態を示す図２のＡ−Ａ線断面図である。
【図９】係合部がディスクのセンターホールの本体側で拡径した状態を示す図２のＡ−Ａ線断面図である。
【図１０】拡径した係合部によってディスクが本体の離間側に押し上げられた状態を示す図２のＡ−Ａ線断面図である。
【図１１】他のディスク保持装置の側面図である。
【符号の説明】
１０  ディスク保持装置
１１  収納ケース
１２  蓋
１３  本体
１４  保持体
１４Ａ  押圧部
１５  支持辺
１５Ａ  支持辺
１５Ｂ  支持辺
１５Ｃ  支持辺
１６  ディスク受け部
１８  ディスク
１８Ａ  センターホール
２０  ディスク受
２１  ディスク保持辺
２１Ａ  係合部
【図１】
0003701880.tif 000002
【図２】
0003701880.tif 000003
【図３】
0003701880.tif 000004
【図４】
0003701880.tif 000005
【図５】
0003701880.tif 000006
【図６】
0003701880.tif 000007
【図７】
0003701880.tif 000008
【図８】
0003701880.tif 000009
【図９】
0003701880.tif 000010
【図１０】
0003701880.tif 000011
【図１１】
0003701880.tif 000012